(57)【要約】【課題】  壁紙用裏打ち紙の裁断試験を、作業員の経験や熟練に左右されることなく、安定した試験を行うことができ、試験結果の精度を高めて、その客観性を向上させることができる壁紙用裏打ち紙の裁断試験装置を提供する。【解決手段】  試料Ｓを裁断する裁断用ナイフ２をナイフ保持装置10に保持させ、背面板21と前置板22との一対の板材からなる試料保持板20により挟持されて保持された試料Ｓを、ナイフ保持装置10を下降させながら裁断する。裁断用ナイフ２はナイフ保持装置10に所定の角度に維持されているため、試料Ｓに対する裁断角度が変化することなく裁断できる。ナイフ保持装置10をテンシロン試験機等の引張試験機に供すれば、裁断用ナイフ２を一定速度で移動させて、裁断することとができる。【選択図】        図１
2010139426.tif 000002
【特許請求の範囲】
【請求項１】
裏打ち紙に樹脂フィルムを被覆して製作した壁紙から切り出した試料をナイフで裁断し、その切り口により該裏打ち紙の裁断性の良否を評価する壁紙用裏打ち紙の裁断試験装置において、
前記試料を挟持する一対の板材からなる試料保持板と、
前記試料保持板に保持させた試料を裁断する裁断用ナイフと、
前記裁断用ナイフを止着させて保持するナイフ保持装置とからなり、
前記試料保持板に対して前記ナイフ保持装置を下降させながら、前記裁断用ナイフにより試料を裁断することを特徴とする壁紙用裏打ち紙の裁断試験装置。
【請求項２】
前記ナイフ保持装置は、
前記裁断用ナイフの前記試料に対する裁断角度を変更する角度調整手段と、
前記試料の裏面側に位置して該試料を受け止める裏当て板とを備え、
前記裁断用ナイフの刃先を前記裏当て板に臨ませてあることを特徴とする請求項１に記載の壁紙用裏打ち紙の裁断試験装置。
【請求項３】
前記試料保持板を引張試験機の加重検出器に取り付けた吊金具により吊り下げ、前記ナイフ保持装置を該引張試験器の駆動部に保持させて、ナイフ保持装置と試料保持板とを引張試験機に供し、前記駆動部の動作によりナイフ保持装置を下降させながら試料を前記裁断用ナイフで裁断することを特徴とする請求項１または請求項２に記載の壁紙用裏打ち紙の裁断試験装置。
【発明の詳細な説明】
【技術分野】
【０００１】
この発明は、紙製の裏打ち紙に塩化ビニール等の樹脂フィルムを被覆させてなる壁紙の、前記樹脂フィルムを被覆する前の前記裏打ち紙の裁断試験装置に関する。
【背景技術】
【０００２】
居住用家屋等の建物の壁面には装飾、汚れ防止等のために、建物の壁体を構成する石膏ボード等の基板の表面に壁紙が貼着される。この種の壁紙は、紙製の裏打ち紙を塩化ビニール等の樹脂フィルムで被覆した複数の層から構成されている。この樹脂フィルムに様々な色彩や絵柄が印刷されて、壁の装飾等がなされることになる。
【０００３】
壁体等の基板に壁紙を貼着する場合には、施工現場に搬入された巻取状の壁紙を施工に適した大きさに裁断する。壁紙は規格された大きさで製造されるもので、壁体の全面を覆う壁紙を用意することは困難であり、長尺で製造されて芯材に巻き取られたものが施工現場に搬入されるためである。このため、長尺の壁紙を施工対象となる壁面に合わせて適宜な大きさに裁断する。裁断された部分壁紙の裏面に糊付けし、糊が十分に浸み込み安定するまで適時放置する。なお、糊付けされる裏面は、前記裏打ち紙の糊付け面となっている。この部分壁紙を前記基板に水平方向あるいは鉛直方向に並設させて仮貼着させる。このとき、隣接する部分壁紙同士の端部を僅かに重畳させて配し、この重畳したいずれの部分壁紙の端部をもナイフで裁断すると、これらの端面同士が一致した状態となり、この状態で基板に貼着させると、壁紙が基板に貼着された状態となり、壁面が壁紙で覆われることになる。
【０００４】
上述した壁紙施工において、仮貼着した状態で裁断される端部の切り口が綺麗で、直線となっておらずに波線状等となっている場合には、隣接する部分壁紙同士の端面が一致せずに、部分壁紙同士の間に間隙が形成されてしまい、施工不良となってしまうおそれがある。
【０００５】
施工不良の原因には種々のものがあるが、その一因として裏打ち紙の裁断性能の不良が考えられている。施工不良が生じないように、壁紙メーカーでは、製造された壁紙の裁断試験を行い切り口の状態で裁断性能の良否を判断している。裁断性能の不良の原因が裏打ち紙にある場合には、その結果が裏打ち紙の製造者、例えば製紙メーカーに通知され、改善が求められることになる。
【０００６】
製紙メーカーでは、裁断性能の改善のため種々の試みがなされており、例えば、特許文献１や特許文献２には高い寸法安定性の改善を果たそうとする壁紙用裏打ち紙あるいは加工用紙が開示されている。
【０００７】
【特許文献１】特開２００８−８８５７９
【特許文献２】特開２００８−１９００８０
【発明の開示】
【発明が解決しようとする課題】
【０００８】
裏打ち紙の紙質は徐々に向上されつつあり、壁紙の裏打ち紙としての裁断性能の向上も図られている。しかし、製造される裏打ち紙の裁断性能は、製造ロットによって個体差が生じるため、製紙メーカーでは裁断性の良否に関して評価する試験を行う必要がある。
【０００９】
従来の裁断性を検査するための裁断試験は、次のようにして行われている。製造された裏打ち紙に塩化ビニールのフィルムを被覆して壁紙を製作し、この壁紙から所望の寸法の試料を切り出し、これを水中または施工時に使用される糊の溶液に一定時間浸漬させた後、平面台上に一定時間放置して水分あるいは糊の溶液を吸収させる。その後、試料の上端部を把持して吊り下げた状態とし、樹脂フィルムが貼着されることになる被覆面側に、上端部の適当な位置からナイフを挿入し、被覆面と該ナイフとの角度をほぼ一定に保った状態でナイフを下方に移動させながら試料を裁断する。そして、裁断された切り口と、試料の壁体の基板に貼着される糊面側の裁断端部との毛羽立ち状態等を目視にて観察して、試料の切れ具合を確認することにより、裁断性の良否を判断するようにしている。
【００１０】
しかしながら、試料を作業員が把持しながらナイフを移動させて裁断するため、該ナイフと試料の被覆面との角度を一定に保持することが難しく、一定の条件で裁断できないおそれがある。また、試料が上端を把持されて吊り下げられた状態にあるから、ナイフに角度を付けて、該ナイフを試料に押し付けながら裁断することにより、該試料が後方へ逃げてしまって、裁断部が直線上にならずに裁断状態が不均一となって、正確な判断を行えないおそれが生じる。さらに、作業員による手作業によるため、熟練を要すると共に、個人差が生じやすく、画一的な判断を行えないおそれがある。
【００１１】
そこで、この発明は、試料についての裁断性の判断を画一的に行うことができるように、熟練を要さずに試料を安定して裁断することができる壁紙用裏打ち紙の裁断試験装置を提供することを目的としている。
【課題を解決するための手段】
【００１２】
前記目的を達成するための技術的手段として、この発明に係る壁紙用裏打ち紙の裁断試験装置は、裏打ち紙に樹脂フィルムを被覆して製作した壁紙から切り出した試料をナイフで裁断し、その切り口により該裏打ち紙の裁断性の良否を評価する壁紙用裏打ち紙の裁断試験装置において、前記試料を挟持する一対の板材からなる試料保持板と、前記試料保持板に保持させた試料を裁断する裁断用ナイフと、前記裁断用ナイフを止着させて保持するナイフ保持装置とからなり、前記試料保持板に対して前記ナイフ保持装置を下降させながら、前記裁断用ナイフにより試料を裁断することを特徴としている。
【００１３】
前記試料保持板に試料を保持させた状態で、前記ナイフ保持装置に保持させた裁断用ナイフを試料に挿入した状態でナイフ保持装置を下降させると、裁断用ナイフにより試料が裁断される。裁断用ナイフはナイフ保持装置に保持されているから、試料に対する刃先の角度が変化せず、一定の速度で下降させれば、一定の条件下で裁断された切り口の状態を得ることができる。
【００１４】
また、請求項２の発明に係る壁紙用裏打ち紙の裁断試験装置は、前記ナイフ保持装置は、前記裁断用ナイフの前記試料に対する裁断角度を変更する角度調整手段と、前記試料の裏面側に位置して該試料を受け止める裏当て板とを備え、前記裁断用ナイフの刃先を前記裏当て板に臨ませてあることを特徴としている。
【００１５】
ナイフ保持装置で裁断用ナイフを保持する際に、裁断用ナイフの刃先の試料に対する裁断角度が適宜な角度となるように、前記角度調整手段により調整する。ナイフ保持装置を下降させながら裁断用ナイフで試料を裁断する際、試料が前記裏当て板に押し付けられることで、試料が撓むことがなく、後方に逃げることがない。
【００１６】
また、請求項３の発明に係る壁紙用裏打ち紙の裁断試験装置は、前記試料保持板を引張試験機の加重検出器に取り付けた吊金具により吊り下げ、前記ナイフ保持装置を該引張試験器の駆動部に保持させて、ナイフ保持装置と試料保持板とを引張試験機に供し、前記駆動部の動作によりナイフ保持装置を下降させながら試料を前記裁断用ナイフで裁断することを特徴としている。
【００１７】
裁断用ナイフで試料を裁断するために、ナイフ保持装置を下降させるには、試料保持板とは異なる部位で支持させて、作業員がナイフ保持装置を把持して引き下げるようにすることもできる。この場合、裁断用ナイフの試料に対する角度は維持された状態にあるが、鉛直方向に裁断することが作業員の熟練により左右されるおそれがある。このため、モータやシリンダ等の動力源を用いてナイフ保持装置を下降させることができれば、裁断線を鉛直方向とすることができる。そこで、引張試験機を利用して裁断用ナイフを移動させるようにしたものである。例えば、製紙メーカーでは、製造された紙の引張強度を試験するための引張試験機としてテンシロン試験機を有しているから、このテンシロン試験機の加重検出器に試料、すなわち試料を保持させた試料保持板を連繋させて吊り下げ、駆動部に前記ナイフ保持装置を連繋させる。そして、テンシロン試験機を作動させると、駆動部の動作によりナイフ保持装置が下降して、裁断用ナイフを下降させる。これにより、該裁断用ナイフで試料が裁断される。
【発明の効果】
【００１８】
この発明に係る壁紙用裏打ち紙の裁断試験装置によれば、裁断用ナイフをナイフ保持装置に保持させることにより、該裁断用ナイフで試料を裁断する際に、ナイフ保持装置が傾くことがない限り、裁断用ナイフを試料に対して一定の角度に維持させた状態で試料を裁断することができる。したがって、試料の裁断作業に熟練を要することがほとんどなくなる。
【００１９】
また、請求項２の発明に係る壁紙用裏打ち紙の裁断試験装置によれば、裁断用ナイフの角度を調整することにより、実際に壁紙の貼着施工を行う際に裁断する状態に近づけて試料を裁断することができるので、裁断性について精度の高い評価を行うことができる。また、試料を裁断する際に、試料が後方へ逃げてしまうことがないから、確実に裁断することができて、切り口を、裁断性の良否の評価に供することができる状態まで綺麗に仕上げることができ、裁断性の評価の精度を向上させることができる。
【００２０】
また、請求項３の発明に係る壁紙用裏打ち紙の裁断試験装置によれば、ナイフ保持装置を一定の状態で下降させることができるから、裁断用ナイフは一定の状態に維持されて試料を裁断することができる。このため、常に一定の条件下で試料を裁断することができることになり、裁断性の評価を画一的な条件で行え、客観性の高い評価を行うことができる。
【発明を実施するための最良の形態】
【００２１】
以下、図示した好ましい実施の形態に基づいて、この発明に係る壁紙用裏打ち紙の裁断試験装置を具体的に説明する。
【００２２】
図１はこの発明に係る壁紙用裏打ち紙の裁断試験装置１により試料Ｓの裁断試験を行う状態を説明する概略の斜視図であり、図２にはこの裁断試験装置１の側面を示してある。この裁断試験装置１は、主として、裁断用ナイフ２を保持するナイフ保持装置10と、試料Ｓを保持する試料保持板20とから構成されている。
【００２３】
前記ナイフ保持装置10は、架台フレーム11とこの架台フレーム11に支持されるナイフフレーム12と、前記架台フレーム11の後端部に取り付けられた裏当て板支持ロッド13とを備えている。前記裏当て板支持ロッド13の上端部には、裏当て板14が、該裏当て板14を支持する一対のナット13a、13bの位置を調整することにより、該裏当て板支持ロッド13の長手方向の位置を調整可能に取り付けられている。
【００２４】
前記架台フレーム11は前端部側から適宜位置まで空洞に形成されており、前端部にこの空洞に連なる開口11aが形成されている。他方、前記ナイフフレーム12はほぼコ字形に形成されており、このコ字形の下側の脚部12aが前記開口11aから空洞に挿入されて架台フレーム11に保持されている。これにより、ナイフフレーム12は架台フレーム11に対して、図１において左右方向と紙面に直交する方向とに移動させて、該架台フレーム11に対する位置を調整することができるようにしてある。なお、調整後は固定ナット11bを締め付けて、架台フレーム11に対するナイフフレーム12の位置を固定する。また、架台フレーム11の下面には、この裁断試験装置を引張試験機としてのテンシロン試験機の加重検出器に取り付けるための試験機取付部11cが取り付けられている。なお、テンシロン試験機では、加重検出器により試料に付加された加重の大きさを、該加重検出器より出力される加重信号で記録することができる。
【００２５】
前記ナイフフレーム12のコ字形の上側の脚部12bから胴部12cにかけて、ほぼＬ字形に折曲された取付プレート15が取り付けられている。また裁断試験の際には、脚部12bの先端部を、前記試料保持板20の表面で擦過させることにより、試料保持板20が不用意に揺れることがないようにしてある。このため、該脚部12bと試料保持板20との間の摩擦力を減じるために、脚部12bの先端面が凹凸状とされ、凸部の先端が円弧状に形成されている。この取付プレート15の屈曲部には支持軸15aが取り付けられ、この支持軸15aにナイフプレート16を連繋させてあり、該ナイフプレート16がこの支持軸15aを中心として揺動するようにしてある。さらに、このナイフプレート16に取付プレート17が取り付けられ、この取付プレート17に前記裁断用ナイフ２が着脱自在に取り付けられている。
【００２６】
前記裁断用ナイフ２は、市販されているいわゆるカッターナイフを用いることができるよう、図１に示すように、取付プレート17の一端部側を折曲して起立させ、この起立した部分に保持プレート18を取り付け、この保持プレート18に裁断用ナイフ２が保持されている。
【００２７】
前記脚部12bに螺合させて、角度調整ネジ19が設けられており、この角度調整ネジ19を回転させると、その回転方向に応じて、脚部12bから上方への突出量が変更するようにしてある。この角度調整ネジ19の上端部は、球面軸受等の自在軸受により前記ナイフプレート16に回転可能で揺動可能に連繋させてある。また、角度調整ネジ19の下端部にノブ19aが取り付けられており、このノブ19aを把持して角度調整ネジ19を回転させることができるようにしてある。
【００２８】
前記試料保持板20は、図３に示すように、２枚の板材が重ね合わさるようにしてあり、後方の背面板21は金属や合成樹脂製の板材により、前方の前置板22は光透過性を有する材料により形成されている。これら背面板21と前置板22とは、一端部で適宜に連接されて開閉可能とされている。また、これら背面板21と前置板22の中央部であって、これらを閉成した際に一致する位置に、後述するように、裁断用ナイフ２が裁断のために移動する方向に沿った方向を長手方向とする長孔からなる裁断用長孔21a、22aがそれぞれ形成されている。なお、図１及び図３に示す実施形態では、裁断用ナイフ２を円滑に移動させられるように、裁断用長孔22aの幅員を裁断用長孔21aの幅員よりも大きいものとしてあるが、前置板22に形成されている裁断用長孔22aの幅員は裁断用ナイフ２の刃先が挿入されるのに十分な大きさであればよく、裁断用長孔21aの幅員に比べて小さいものとしても構わない。また、これらを閉成した状態で背面板21と前置板22とが密着した状態を維持するように、例えば、連接されていない側の端縁にクリップ等の挟持手段が配されている。また、これら背面板21と前置板22の上端部の中央部であって、これらを閉成した際に一致する位置には、後述するように、この試料保持板20を吊り下げるための吊り下げ具を係合させるための吊り下げ用透孔21b、22bが形成されている。なお、これら吊り下げ用透孔21b、22bのそれぞれ中心と、前記裁断用長孔21a、22bのそれぞれの中心とが同一線上に位置するようにしてある。また、前記背面板21には、前記裁断用長孔21aと平行に複数本のガイド線21cが刻設されている。これら背面板21と前置板22とを重畳させた状態の試料保持板20の下端部を挿入できる差し込み溝11dが、前記架台フレーム11の上面に形成されている。なお、裁断試験の準備の際に、前記試料保持板20の下端部を前記差し込み溝11dに挿入することにより、試料保持板20と裁断用ナイフ２等の位置決め等を容易に行うことができるが、裁断試験の開始により試料保持板20は前記差し込み溝11dより離脱することにより、以後は連繋が解除され、裁断試験の実行時には前記裏当て板14に試料保持板20が当接して案内される。このため、裁断試験の準備時に、試料保持板20と裁断用ナイフ２等との位置決めを容易に行える場合には、試料保持板20の下端部は架台フレーム11に達するまで伸ばす必要はなく、裁断試験に要する範囲まで伸長してあれば十分であり、この場合には前記差し込み溝11dが不要である。
【００２９】
以上により構成されたこの発明に係る壁紙用裏打ち紙の裁断試験装置により製造された裏打ち紙から切り出された試料Ｓの裁断試験を行う操作について、以下に説明する。なお、この裁断試験装置は引張試験機に供することにより、試料Ｓの裁断試験を行うことができるようにしてあるもので、引張試験機としてのテンシロン試験機に供する場合について説明する。
【００３０】
裁断試験の準備として、試験に供すべき裏打ち紙に塩化ビニールのフィルムを被覆して壁紙を製造し、この壁紙から所望の寸法に切り出された試料Ｓを、水中、又は、施工に使用する糊の溶液に一定時間浸漬後に取出し、平面台上に一定時間放置し水分を吸収させる。この試料Ｓを前記試料保持板20の背面板21と前置板22とに挟持させて保持させる。前記ナイフ保持装置10を前記試験機取付部11cによってテンシロン試験機の駆動側に取り付ける。また、試料Ｓを保持させた前記試料保持板20の吊り下げ用透孔21b、22bに、テンシロン試験器の加重検出器から垂下された掛止部材25を、図１に示すように、挿通させて試料保持板20を吊り下げる。このとき、前記架台フレーム11の差し込み溝11dに試料保持板20の下端が挿入されるようにする。なお、テンシロン試験器に取り付けられた状態のナイフ保持装置10が水平となるように調整する。また、加重検出器から出力される加重信号を記録する場合には、記録計のゼロ点調整と分銅による較正を行う。
【００３１】
前記裁断用ナイフ２の先端が試料保持板20の前記裁断用長孔22aに臨む位置となるよう、前記ナイフフレーム12の前記架台フレーム11に対する位置を調整する。また、裁断用ナイフ２の角度を、試料Ｓについて行う試験の裁断条件に応じて調整する。この調整は、前記角度調整ネジ19を回転させることにより行うことができる。そして、裁断用ナイフ２を突出させて、試料Ｓに突き刺す。このとき、予め試料Ｓに切り込み等を形成してあれば、裁断用ナイフ２を容易に突き刺すことができる。
【００３２】
そして、テンシロン試験器を作動させると、駆動側に取り付けられたナイフ保持装置10が下降する。これにより、裁断用ナイフ２が下降しながら試料Ｓを裁断することになる。この際、ナイフ保持装置10の下降に伴われて前記裏当て板14も下降するから、裁断用ナイフ２が常に該裏当て板14に臨んだ状態にあり、このため、試料Ｓが後方に逃げてしまうことがない。所望の位置まで裁断用ナイフ２を下降させて試料Ｓの裁断が完了したならば、試料保持板20から取り出して、裁断用ナイフ２による切り口を目視にて観察する。なお、一つの試料Ｓについて、2箇所以上で裁断を行って観察することにより、裁断性についてより高い精度で評価を行うことができる。また、加重検出器により加重が測定され、その出力信号を記録する場合には、その測定値の平均値を裁断性の評価に利用することができ、評価の客観性をさらに向上させることができる。
【００３３】
以上説明した実施形態では、壁紙用の裏当て紙に塩化ビニールのフィルムを被覆させた壁紙について行う裁断試験機として説明したが、壁紙用の裏当て紙のみの裁断性の評価を行う場合や、裁断性の評価を必要とするその他の紙についても用いることができる。
【産業上の利用可能性】
【００３４】
この発明に係る壁紙用裏打ち紙の裁断試験装置によれば、裁断用ナイフを試料に対して一定の角度を維持させながら、試料の裁断を行うことができることで、熟練を要さず、裁断性の良否について高精度の評価を行うことに寄与する。しかも、引張試験機に供して裁断用ナイフを移動させることで、安定した裁断を行わせることができ、より正確な評価を行うことに寄与できる。
【図面の簡単な説明】
【００３５】
【図１】この発明に係る壁紙用裏打ち紙の裁断試験装置により試料を裁断する操作を説明する斜視図で、引張試験機に供した状態を示している。
【図２】この発明に係る壁紙用裏打ち紙の裁断試験装置の概略構造を示す側面図である。
【図３】試料を保持する試料保持板を説明する斜視図である。
【符号の説明】
【００３６】
１  裁断試験装置
２  裁断用ナイフ
10  ナイフ保持装置
11  架台フレーム
12  ナイフフレーム
13  裏当て板支持ロッド
14  裏当て板
16  ナイフプレート
17  取付プレート
18  保持プレート
19  角度調整ネジ
20  試料保持板
21  背面板
21a  裁断用長孔
21b  吊り下げ用透孔
21c  ガイド線
22  前置板
22a  裁断用長孔
22b  吊り下げ用透孔
Ｓ  試料
【図１】
2010139426.tif 000003
【図２】
2010139426.tif 000004
【図３】
2010139426.tif 000005